(57)【要約】  【課題】  ケースの気密性を向上することができる光デバイスを提供する。  【解決手段】  光スイッチ１０は、本体２１及び本体２１を覆った蓋２６を有し内部から外部まで貫通した貫通穴２０ａが本体２１に形成されたケース２０と、蓋２６を本体２１に接着した接着剤３０と、ケース２０の外部から貫通穴２０ａを封止したピン４０と、複数の端子５１及び複数の端子５１を支持した端子支持部５２を有しケース２０の内部に収納された電子部品と、電子部品をケース２０に接着した接着剤６０と、光学部品等の各種部品が搭載されケース２０の内部に収納されたプラットホーム７０と、プラットホーム７０をケース２０に固定した複数のネジ８０と、プラットホーム７０に搭載された光学部品に接続された複数の光ファイバ９０とを備える。【選択図】  図１
2006098911.tif 000002
【特許請求の範囲】
【請求項１】
本体及び前記本体を覆った蓋を有し内部から外部まで貫通した貫通穴が形成されたケースと、前記蓋を前記本体に接着した熱硬化型接着剤と、前記ケースの外部から前記貫通穴を封止した封止部材とを備えたことを特徴とする光デバイス。
【請求項２】
端子及び前記端子を支持した端子支持部を有した電子部品と、前記端子を外部に露出させた端子用穴が形成され前記電子部品を内部に収納したケースと、前記電子部品を前記ケースに接着した接着剤とを備え、
前記ケースは、前記接着剤によって前記端子支持部と接着された突出部を前記端子用穴の周囲に有したことを特徴とする光デバイス。
【請求項３】
本体及び前記本体を覆った蓋を有したケースと、前記蓋を前記本体に接着した接着剤とを備え、
前記蓋は、互いに方向が異なり前記接着剤によって前記本体と接着された複数の接着面部を有したことを特徴とする光デバイス。
【請求項４】
本体及び前記本体を覆う蓋を有し内部から外部まで貫通した貫通穴が形成されたケースの前記蓋を前記本体に熱硬化型接着剤によって接着した後、前記貫通穴を封止するための封止部材によって前記ケースの外部から前記貫通穴を封止したことを特徴とする光デバイスの製造方法。
【発明の詳細な説明】
【技術分野】
【０００１】
本発明は、光情報ネットワーク、光ＬＡＮ（Ｌｏｃａｌ  Ａｒｅａ  Ｎｅｔｗｏｒｋ）等の光通信分野に使用される光デバイスに関するものである。
【背景技術】
【０００２】
従来、光デバイスとして、熱硬化型接着剤によってケースの本体及び蓋が接着されるものが知られている（例えば特許文献１参照。）。
【特許文献１】特開平０９−０６９５８５号公報（第２頁、第９図）
【発明の開示】
【発明が解決しようとする課題】
【０００３】
しかしながら、従来の光デバイスにおいては、加熱して熱硬化型接着剤を硬化させるとき、熱硬化型接着剤が硬化する前にケースの内部の気体が熱膨張し、熱膨張した気体によって熱硬化型接着剤がケースの外部に押し出されるので、ケースの気密性が得られないという問題があった。
【０００４】
本発明は、ケースの気密性を向上することができる光デバイスを提供することを目的とする。
【課題を解決するための手段】
【０００５】
本発明の光デバイスは、本体及び前記本体を覆った蓋を有し内部から外部まで貫通した貫通穴が形成されたケースと、前記蓋を前記本体に接着した熱硬化型接着剤と、前記ケースの外部から前記貫通穴を封止した封止部材とを備えた構成を有している。
【０００６】
この構成により、本発明の光デバイスは、加熱して熱硬化型接着剤を硬化させるときにケースの内部の気体が熱膨張しても、熱膨張した気体をケースの貫通穴を介してケースの外部に抜くことができるので、熱膨張した気体によって熱硬化型接着剤が硬化前にケースの外部に押し出されることを防止することができ、ケースの気密性を向上することができる。
【０００７】
また、本発明の光デバイスは、端子及び前記端子を支持した端子支持部を有した電子部品と、前記端子を外部に露出させた端子用穴が形成され前記電子部品を内部に収納したケースと、前記電子部品を前記ケースに接着した接着剤とを備え、前記ケースは、前記接着剤によって前記端子支持部と接着された突出部を前記端子用穴の周囲に有した構成を有している。
【０００８】
この構成により、本発明の光デバイスは、電子部品とケースとの接着面積を増加させることができるので、ケースの端子用穴を介したケースの内部と外部との連通を高気密に遮断することができ、ケースの気密性を向上することができる。
【０００９】
また、本発明の光デバイスは、本体及び前記本体を覆った蓋を有したケースと、前記蓋を前記本体に接着した接着剤とを備え、前記蓋は、互いに方向が異なり前記接着剤によって前記本体と接着された複数の接着面部を有した構成を有している。
【００１０】
この構成により、本発明の光デバイスは、本体から蓋が剥れるときに蓋の複数の接着面部のうち少なくとも１つと、本体との接着部分において剪断方向に応力が加わるので、本体から蓋が容易に剥れることを、剥離強度より剪断強度が高い接着剤によって防止することができ、ケースの気密性を向上することができる。
【００１１】
また、本発明の光デバイスの製造方法は、本体及び前記本体を覆う蓋を有し内部から外部まで貫通した貫通穴が形成されたケースの前記蓋を前記本体に熱硬化型接着剤によって接着した後、前記貫通穴を封止するための封止部材によって前記ケースの外部から前記貫通穴を封止した構成を有している。
【００１２】
この構成により、本発明の光デバイスの製造方法は、加熱して熱硬化型接着剤を硬化させるときにケースの内部の気体が熱膨張しても、熱膨張した気体をケースの貫通穴を介してケースの外部に抜くことができるので、熱膨張した気体によって熱硬化型接着剤が硬化前にケースの外部に押し出されることを防止することができ、ケースの気密性を向上することができる。
【発明の効果】
【００１３】
本発明は、ケースの気密性を向上することができる光デバイスを提供することができるものである。
【発明を実施するための最良の形態】
【００１４】
以下、本発明の一実施の形態について、図面を用いて説明する。
【００１５】
まず、本実施の形態に係る光デバイスの構成について説明する。
【００１６】
図１に示すように、本実施の形態に係る光デバイスとしての光スイッチ１０は、本体２１及び本体２１を覆った蓋２６を有し内部から外部まで貫通した貫通穴２０ａが本体２１に形成されたケース２０と、蓋２６を本体２１に接着した接着剤３０と、ケース２０の外部から貫通穴２０ａを封止した封止部材としてのピン４０と、複数の端子５１及び複数の端子５１を支持した端子支持部５２を有しケース２０の内部に収納され全体を図示していない電子部品と、電子部品をケース２０に接着した接着剤６０と、光学部品等の図示していない各種部品が搭載されケース２０の内部に収納されたプラットホーム７０と、プラットホーム７０をケース２０に固定した複数のネジ８０と、プラットホーム７０に搭載された光学部品に接続された複数の光ファイバ９０とを備えており、複数の光ファイバ９０の何れかを介してケース２０の内部に入力した光線を複数の光ファイバ９０の何れかを介してケース２０の外部に出力するときに、光線を出力する光ファイバ９０を切り換えるようになっている。
【００１７】
ケース２０は、内部に収納した電子部品の端子５１を外部に露出させた端子用穴２０ｂと、光ファイバ９０が挿入された複数の光ファイバ用穴２０ｃとが本体２１に形成されている。また、ケース２０の本体２１は、接着剤６０によって端子支持部５２と接着された突出部２１ａを端子用穴２０ｂの周囲に有しているとともに、ネジ８０と螺合した複数のネジ穴２１ｂが形成されている。また、ケース２０の蓋２６は、互いに方向が異なり接着剤３０によって本体２１と接着された複数の接着面部２６ａ、２６ｂ、２６ｃ、２６ｄを有している。
【００１８】
また、接着剤３０及び接着剤６０は、熱硬化型接着剤である。特に、接着剤３０及び接着剤６０は、透湿率が低い熱硬化型接着剤であれば、ケース２０の外部から内部に水分が浸入すること等を防止することができるので、望ましい。
【００１９】
次に、光スイッチ１０の製造方法について説明する。
【００２０】
まず、図２に示す本体２１は、常温大気圧下で、図３に示すように、突出部２１ａで囲まれた端子用穴２０ｂの周囲に液状の接着剤６０が塗布された後、電子部品の複数の端子５１が端子用穴２０ｂに挿入される。そして、本体２１は、８０℃に加熱されて接着剤６０が硬化させられることによって電子部品が接着剤６０によって接着される。
【００２１】
次いで、電子部品が接着された本体２１は、常温大気圧下で、図４に示すように、各種部品が搭載されたプラットホーム７０が複数のネジ８０によって固定される。
【００２２】
次いで、電子部品が接着されプラットホーム７０が固定された本体２１は、常温大気圧下で、図５に示すように、プラットホーム７０に搭載された光学部品に接続された複数の光ファイバ９０が光ファイバ用穴２０ｃに挿入された状態で液状の接着剤３０が塗布された後、接着剤３０が塗布された箇所に蓋２６が設置される。そして、本体２１は、８０℃に加熱されて接着剤３０が硬化させられることによって蓋２６が接着剤３０によって接着される。
【００２３】
最後に、電子部品及びプラットホーム７０が内部に収納され光ファイバ９０が光ファイバ用穴２０ｃに挿入されたケース２０は、図１に示すように、外部から貫通穴２０ａにピン４０が常温大気圧下で圧入されることによって、貫通穴２０ａが封止され、光スイッチ１０となる。
【００２４】
以上に説明したように、光スイッチ１０は、加熱して接着剤３０を硬化させるときにケース２０の内部の気体が熱膨張しても、熱膨張した気体をケース２０の貫通穴２０ａを介してケース２０の外部に抜くことができるので、熱膨張した気体によって接着剤３０が硬化前にケース２０の外部に押し出されることを防止することができ、ケース２０の気密性を容易に向上することができる。
【００２５】
また、光スイッチ１０は、熱膨張した気体によって接着剤３０がケース２０の外部に押し出されることを防止することができるので、ケース２０の外部に漏れ出た接着剤３０による外観不良の発生を防止することができる。
【００２６】
また、光スイッチ１０は、熱硬化型接着剤である接着剤３０によって蓋２６を本体２１に固定するので、溶接やガラスろう等によって蓋２６を本体２１に固定する場合と比較して、低温環境で製造されることができる。したがって、光スイッチ１０は、例えば１００℃以上の高温に耐性が無い部品を収納することができる。
【００２７】
また、光スイッチ１０は、ケース２０を封止するときに専用の組み立て装置が必要ないので、製造コストを低減することができる。
【００２８】
また、光スイッチ１０は、接着剤６０によって端子支持部５２と接着された突出部２１ａを端子用穴２０ｂの周囲に有しているので、電子部品とケース２０との接着面積を増加させることができ、ケース２０の端子用穴２０ｂを介したケース２０の内部と外部との連通を高気密に遮断することができる。
【００２９】
また、光スイッチ１０は、互いに方向が異なり接着剤３０によって本体２１と接着された複数の接着面部２６ａ、２６ｂ、２６ｃ、２６ｄを蓋２６が有しているので、本体２１から蓋２６が剥れるときに蓋２６の複数の接着面部２６ａ、２６ｂ、２６ｃ、２６ｄのうち少なくとも１つと、本体２１との接着部分において剪断方向に応力が加わり、本体２１から蓋２６が容易に剥れることを、剥離強度より剪断強度が高い接着剤３０によって防止することができる。
【００３０】
なお、光スイッチ１０は、封止部材としてピン４０を備えているが、ケース２０の外部から貫通穴２０ａを封止することができるものであれば、ピン４０以外のものを封止部材として備えていても良い。
【図面の簡単な説明】
【００３１】
【図１】（ａ）本発明の一実施の形態に係る光スイッチの正面図  （ｂ）図１（ａ）に示す光スイッチの側面断面図  （ｃ）図１（ａ）に示す光スイッチの上面図
【図２】（ａ）図１に示す光スイッチのケースの本体の正面図  （ｂ）図２（ａ）に示す本体の側面断面図  （ｃ）図２（ａ）に示す本体の上面図
【図３】（ａ）電子部品が接着された図２に示す本体の正面図  （ｂ）図３（ａ）に示す本体の側面断面図  （ｃ）図３（ａ）に示す本体の上面図
【図４】（ａ）プラットホームが固定された図３に示す本体の正面図  （ｂ）図４（ａ）に示す本体の側面断面図  （ｃ）図４（ａ）に示す本体の上面図
【図５】（ａ）電子部品及びプラットホームが内部に収納されたケースの正面図  （ｂ）図５（ａ）に示すケースの側面断面図  （ｃ）図５（ａ）に示すケースの上面図
【符号の説明】
【００３２】
１０  光スイッチ（光デバイス）
２０  ケース
２０ａ  貫通穴
２０ｂ  端子用穴
２１  本体
２１ａ  突出部
２６  蓋
２６ａ、２６ｂ、２６ｃ、２６ｄ  接着面部
３０  接着剤（熱硬化型接着剤）
４０  ピン（封止部材）
５１  端子
５２  端子支持部
６０  接着剤
【図１】
2006098911.tif 000003
【図２】
2006098911.tif 000004
【図３】
2006098911.tif 000005
【図４】
2006098911.tif 000006
【図５】
2006098911.tif 000007